(57)【要約】【課題】安価で簡単かつ確実に、磁気ディスクの高速回転化に伴う風外乱を抑止する磁気ヘッド支持機構を提供する。【解決手段】磁気ヘッド２を移動させるアクチュエータ・アーム４と、このアーム４に沿ってリード／ライト信号線を付設するためのロングテール５と、アクチュエータ・アーム４に沿わせてロングテール５を所定位置に保持するスリット６と、を有する磁気ヘッド保持機構１である。ここに、ロングテール５とスリット６との間にフリクションを生じさせることによって、すなわちフリクション構造７を形成することによって両者（５，６）間を与圧係止する。【選択図】図２
2007179683.tif 000002
【特許請求の範囲】
【請求項１】
磁気ヘッドを所定位置に移動させるアクチュエータ・アームと、該磁気ヘッドに接続する信号線を該アクチュエータ・アームに沿って付設するためのロングテール部を有するロングテール型サスペンションと、該アクチュエータ・アームの側面に設けられて前記ロングテール部を保持するスリットとを有する磁気ヘッド支持機構を備えてなる磁気ディスク装置において、
前記ロングテール部と前記スリットの壁面との間にフリクションを生じさせて該ロングテール部を該スリットに対して固定するフリクション構造を備えることを特徴とする磁気ディスク装置。
【請求項２】
磁気ヘッドを所定位置に移動させるアクチュエータ・アームと、該磁気ヘッドに接続する信号線を該アクチュエータ・アームに沿って付設するためのロングテール型サスペンションを有する磁気ヘッド支持機構を備えた磁気ディスク装置において、
前記ロングテール型サスペンションと前記アクチュエータ・アームとの間にフリクションを生じさせて該ロングテール型サスペンションを該アクチュエータ・アームに対して固定するフリクション構造を備えることを特徴とする磁気ディスク装置。
【請求項３】
磁気ヘッドに接続する信号線をアクチュエータ・アームに沿って付設されると共に、該アクチュエータ・アームの側面に設けられたスリットに保持されるロングテール部を有するロングテール型サスペンションにおいて、
前記ロングテール部と前記スリットの壁面との間にフリクションを生じさせて該ロングテール部を該スリットに対して固定するためのフリクション構造を備えることを特徴とするロングテール型サスペンション。
【請求項４】
前記スリットを、前記ロングテール部をほぼ水平に保って上下から挟むように上下左右に交互配置した少なくとも３つの保持部材により構成し、これらの保持部材と該ロングテール部との間に前記フリクション構造を形成することを特徴とする請求項１または２に記載の磁気ディスク装置。
【請求項５】
前記ロングテール部を、その長さ方向に沿って山部と谷部が交互に繰り返す波型形状に形成し、これにより弾性を持った該波型ロングテール部と前記スリットの壁面との間に前記フリクション構造を形成することを特徴とする請求項１または２に記載の磁気ディスク装置。
【発明の詳細な説明】
【技術分野】
【０００１】
本発明は、磁気ヘッド支持機構を備えた磁気ディスク装置に関する。
【背景技術】
【０００２】
これまで、磁気ディスク装置における磁気ヘッド支持機構の代表的な構造としては、（ｉ）磁気ヘッドの信号増幅用プリアンプ、（ii）中継用のフレキシブル・プリンテッド・サーキット・ボード（ＦＰＣ）および（iii）サスペンション上の端子いわゆるショートテールのサスペンション、という中継接続構造を採用してきた。
【０００３】
しかしながら、情報処理分野におけるデータ量の増大に伴うデータ転送速度の一層の高速化を図るためには、上記中継用ＦＰＣを中間に介在させることが信号転送上の障害となってきた。
【０００４】
そこで近年、上記のショートテール型サスペンションの構造から、いわゆるロングテール型サスペンションの構造へと移行してきている。このロングテール型サスペンションは、上記の中継用ＦＰＣを中間に介在させた上記中継接合構造から、かかる中継用ＦＰＣを中間に介在させない、すなわち上記磁気ヘッドと上記プリアンプとを直接接合させる直接接合型の構造へと、改変するものである。
【０００５】
このロングテール型サスペンションは、後に図を参照して説明するように、例えば厚さ２０μｍ程度のステンレス製薄板からなり、その薄板表面に、絶縁膜を介して上記磁気ヘッドおよびプリアンプ間の信号線を薄膜状に形成させたものである。このように形成されたロングテール型サスペンションのロングテール部は、上記磁気ヘッド支持機構を構成するアクチュエータ・アームの側面に数箇所設けられたスリットの中に収容され保持される。この場合、そのロングテール型サスペンションのロングテール部をそのスリットの中に収容するだけでは十分でなく、該ロングテール部をスリットの中にしっかりと固定するように保持することが要求される。
【０００６】
なお本発明に関連する公知技術として、下記の〔特許文献１〕および〔特許文献２〕がある。しかしこれらの公知技術では、後に詳述する本発明のごとく、ロングテール部をアクチュエータ・アームに対し、あるいは上記スリットに対し与圧係止可能とするための「別部材を使用しないフリクション構造」については、全く示唆されていない。
【０００７】
ちなみに、上記〔特許文献１〕による公知技術は、組立および修理において中継用ＦＰＣを確実に固定し、信号線の配線を確実かつ容易に行うことのできるヘッド支持機構の実現を目的とし、その中継用ＦＰＣをアクチュエータ・アーム側面に設けられた溝に挿入することを特徴としている。そしてその実施例としては、アクチュエータ・アーム側面へ長溝形状の形成、短溝形状の複数形成、Ｃ型溝形状やアーム溝曲げによる固定、ＦＰＣ外れ防止のＣ型リングもしくは抜け止めピンの追加等を挙げている。
【０００８】
また上記〔特許文献２〕による公知技術においては、上記スリットと上記ロングテール型サスペンションを、弾性体を介して一体化し、固定する方法を開示している。
【０００９】
【特許文献１】特開平９−３２０２１３号公報
【特許文献２】特開２００５−７８６８８号公報
【発明の開示】
【発明が解決しようとする課題】
【００１０】
上記アクチュエータ・アームの側面に設けられる上述したスリットの形成に際しては、その溝幅を、上述した２０μｍといった薄板のロングテール型サスペンションを十分に把持できる程狭くすることはできない。なぜなら、２０μｍ程度の溝幅を有するスリットを形成可能な加工ツールを安価にかつ高耐久性をもって入手することがきわめて困難だからである。結局、スリットの溝幅は最小で０．４mm程度と、ロングテール型サスペンションの厚さ（２０μｍ）に比べて広くならざるを得ない。
【００１１】
そのため、媒体（磁気ディスク）の高速回転化による風外乱や、アクチュエータ・アームを駆動する際に起きるロングテール型サスペンション自身の振動が、磁気ヘッドを励振させ、位置決め精度等を悪化させるといった不都合があった。また外部からの振動や衝撃に対する影響も無視できなかった。
【００１２】
かかる状況下で上述した公知技術〔特許文献１〕によると、安価で単純かつ外部からの振動や衝撃に対し高耐性をもって、上記の不都合を解消するには難点がある、という問題があり、また上述した公知技術〔特許文献２〕によると、別部材によって、アクチュエータ・アームとロングテール型サスペンションを一体化させていることから、アクチュエータ・アームの組立てに細心の注意を払い、またその再組立てや磁気ヘッドの交換時等においても細心の注意を要することから保守性に難点がある、という問題がある。
【００１３】
したがって本発明は、上記諸問題点に鑑み、安価で簡単かつ確実に、磁気ディスクの高速回転化に伴う風外乱を抑止し、しかも製造ならびに保守が容易な磁気ヘッド支持機構を備えた磁気ディスク装置を提供することを目的とするものである。
【課題を解決するための手段】
【００１４】
図１は本発明の原理構成を示す図であり、要部拡大斜視図にて示す。本図において、参照番号４はアクチュエータ・アーム、５はロングテール型サスペンションのロングテール部、６はスリットであり、このスリットは上下左右交互の保持部材（６ａ，６ｂ，６ｃ）の間に形成されてなり、７は本発明の特徴をなすフリクション構造である。
【００１５】
さらに具体的には、本図に示す磁気ヘッド支持機構（後述する参照番号１）は、磁気ヘッドサスペンション（後述の３）を保持してその磁気ヘッド（後述の２）を所定位置に移動させる上記アクチュエータ・アーム４と、この磁気ヘッド（２）に接続する信号線をそのアクチュエータ・アーム４の側面に沿って水平に付設するためのロングテール部５と、このアクチュエータ・アーム４の側面に設けられたロングテール部５をその側面の所定箇所にて保持する上下左右交互の保持部材（６ａ，６ｂ，６ｃ）とを有する磁気ヘッド支持機構である。
【００１６】
ここに本発明の特徴は、ロングテール部５とスリット６を形成する保持部材（６ａ，６ｂおよび６ｃ）の壁との間にフリクションを生じさせてロングテール部５をスリット６内に保持するフリクション構造７を形成することにある。
【発明の効果】
【００１７】
本発明によれば、前述した余分な部材や特殊な構造を導入することなく、本来の部材（スリット６を形成する保持部材の壁やロングテール部５）にフリクション作用を持たせ、結果として「与圧係止」効果を生じさせることによって、上記の風外乱や外部からの振動を、簡単かつ確実に抑止し、しかも製造ならびに保守が容易な磁気ヘッド支持機構を備えた磁気ディスク装置が実現される。
【発明を実施するための最良の形態】
【００１８】
本発明によりもたらされる効果を明確にするために、まず初めに、一般的な磁気ディスク装置（ＨＤＤ）について簡単に説明しておく。
【００１９】
図１０は一般的な磁気ディスク装置の概観を示す図である。本図において、磁気ディスク装置８は、数枚の磁気ディスク９と、これら磁気ディスク９の各々と連係する前述の磁気ヘッド（２）や前述の磁気ヘッドサスペンション（３）ならびに前述のアクチュエータ・アーム（４）を有してなる磁気ヘッド支持機構１と、からなる。この図１０に示す磁気ヘッド支持機構１は、ロングテール型サスペンションを採用してなり、通常は、図１１に示すような構成を有する。
ロングテール型サスペンションにおいて、ロングテール型サスペンション基板(ステンレスの薄板)には、磁気ヘッド２に電気的に連繋された配線回路が片面に設けられている。配線回路は、磁気ヘッドが搭載される先端部から、アクチュエータ・アームを保持するキャリッジ本体側の他端部まで、ロングテール型サスペンション基板の長手方向に沿って設けられている。この配線回路は、一般的には、磁気ヘッド２の磁気ディスク９への書き込み用の信号線が２本と、読み出し用の信号線が２本の、計４本少なくとも設けられる。なお、ロングテール型サスペンションは、薄板状のステンレス板からなるロングテール型サスペンション基板上に順次、絶縁層、回路層、保護層が設けられてなり、ステンレスエッチングなどにより所定形状に整えられて構成される。
【００２０】
図１１は本発明が適用される一般的な磁気ヘッド支持機構１の一例を示す図である。既に述べたとおり、この磁気ヘッド支持機構１は、磁気ヘッド２を保持する磁気ヘッドサスペンション３とアクチュエータ・アーム４とを支持すると共に、その側面にスリット６を設けており、その磁気ヘッド２を搭載する先端部からの信号と既述のプリアンプＡＭＰとの間の信号伝達を担うロングテール型サスペンションのロングテール部５をアクチュエータ・アーム４に対して水平にそのスリット６内に収容し保持する。
【００２１】
さてここで改めて現状のロングテール型サスペンションのロングテール部５とスリット６との間の保持構造について、図を参照しながら見てみる。図２（ａ）はロングテール部５とスリット６との間の現状の保持構造を示し、同図（ｂ）は本発明に係るその保持構造を示す。なお本図２は、上記図１１の矢視IIによる正面図に相当する。したがって前述した図１は、本図２（ｂ）における一組のスリット片６ａ，６ｂ，６ｃを表すことになる。ただし本図２（ｂ）に示す二組は、いずれも同一構造である。
【００２２】
上記図２（ａ）において注目すべき点は、上述したように、最小で例えば０．４mm程度の溝幅しかできない従来のスリット６に対し、例えば２０μｍ厚のロングテール部５を収容すると、どうしても両者間に隙間ができてしまうことである。この隙間によって生じる風外乱等を防止するために既述の公知技術が提案されているが、それぞれに既述した問題があった。
【００２３】
そこで図２（ｂ）に示す第１実施例のフリクション構造を採用し、上記の隙間をなくすと共に、ロングテール部５とスリット６の壁との間に「与圧係止」効果をもたらすことにする。すなわち、スリット片６ａと、スリット片６ｂおよび６ｃとの上下の間隔を、ロングテール部５の厚さ(＋α(製造ばらつき分))と略同じに設定して、図示するように配置すれば、上記の隙間を完全になくし、かつ、両者（５，６）間に与圧係止効果が生まれる。
要するに本発明は、従来のスリット６を、ロングテール部５を上下左右から挟むように交互配置した複数のスリット片６ａ，６ｂ，６ｃにより構成し、これらのスリット片とロングテール部５との間にフリクション構造（７）を形成するようにしたことを特徴とするものである。なお、本実施例では、ロングテール部を保持する保持部材であるスリット片６ａ，６ｂ，６ｃは、アクチュエータ・アームの一部から突出して形成している。
【００２４】
この場合、上記第１実施例の第１形態によれば、図２（ａ）に示すように、複数のスリット片６ａ，６ｂ，６ｃは、ロングテール部５をほぼアクチュエータ・アームのアーム平面に対して水平に保って上下左右から挟むようにする。
【００２５】
図３は上記第１実施例の変形例を示す図、すなわち該第１実施例の第２形態を示す図である。ただし、簡略化のため、一組のスリット片６ａ，６ｂ，６ｃのみを示す。この第２形態は、複数のスリット片６ａ，６ｂ，６ｃを、ロングテール部５を配設した際に「弓状」に変形させるように上下左右から押さえ込むように、スリット片６ａ，６ｂ，６ｃの間隔をロングテール部の厚さより小さくなるように配置したことを特徴とするものである。このようにすれば、ロングテール部５とスリット６の壁との間のフリクション作用すなわち与圧係止効果は、一層増大する。なお、スリット６を、３点支持（６ａ，６ｂ，６ｃ）とする構成を示しているが、２点支持としても良いし、あるいは４点支持とするようにしても良い。
【００２６】
次に第２実施例について説明する。図４は第２実施例を示す斜視図である。本図に示すとおり、この第２実施例においては、ロングテール型サスペンション基板のロングテール部５を、その長さ方向に沿って山部と谷部が交互に繰り返す波型形状に折り曲げ形成し、これにより弾性を持った波型ロングテール部５とスリット６の上下壁面との間に前述したフリクション構造を形成する。なお、本実施例ではスリット６は、上下壁面が対向する一対の保持部材で形成されており、スリットの上下壁面の間にロングテール部の波型形状部分を隙間なく挟み込む形状になっている。従って、波型形状の山部と谷部の間隔はスリットの間隔と略同じかそれより小さくなっている。
それゆえ、本実施例では、ロングテール型サスペンションを変形させるだけで良いので、アクチュエータ・アームのロングテール部保持機構の設計変更が無く、容易に良好な摩擦力を有するフリクション構造を実現できる。
【００２７】
図５は第２実施例の変形例を示す図、すなわち第２実施例の第２形態を示す図である。本図に示すとおり、この第２形態においては、ロングテール部５は、上述した長さ方向において、スリット６に挟まれる部分のみを前述した波型形状とすることを特徴とするものである。このようにロングテール部５を部分的に波型形状にすることにより、ロングテール型サスペンション上の信号線を図４の場合よりも若干短かくすることができる。
従って、本実施例では、図４の場合より信号線を短くできるので信号線へのノイズの影響を低減でき、また波型形状成型プロセスによって与える信号線への影響を減らして不良率を改善するとともに、その波型形状成型プロセスを簡略化することができる。
【００２８】
次に第３実施例について説明する。図６（ａ）および（ｂ）は、第３実施例をそれぞれ斜視図および断面図にて示す図である。本図に示すとおり、この第３実施例においては、ロングテール部５のステンレスの薄板に、その側面からアクチュエータ・アーム側に向かって伸びた伸出部分を設け、この伸出部分を折り曲げてスリット６の上壁面もしくは下壁面に対面する断面略Ｕ字型の耳部１１を有し、この耳部１１とスリット６の上壁面もしくは下壁面との間に前述したフリクション構造を形成することを特徴とするものである。
耳部１１は、ステンレスの薄板を折り曲げて形成しているのでばね性を若干有し、スリット６の上下壁面の間に隙間無く挟みこまれて、ロングテール部５を保持することができる。
なお、耳部の折り曲げ間隔は、耳部のばね性を考慮して、スリット６の間隔と略同じか小さくしておく。
したがって、本実施例では、第二実施例のようにロングテール部を長くしたり、ロングテール型サスペンション部の配線回路を含む部分を折り曲げ成形する必要が無いので、複雑な工程を要すること無く簡単にフリクション構造を実現できる。
【００２９】
図７は第４実施例を示す断面図であり、上記図６（ｂ）を変形した態様である。すなわち、本第４実施例においては、ロングテール部は図６（ｂ）と同様に、ロングテール型サスペンションのロングテール部５のステンレスの薄板に、その側面からアクチュエータ・アーム４側に向かって伸びた(言い換えれば、ロングテール部の長手方向に対して垂直方向に伸びた)伸出部分を設ける。この伸出部分を折り曲げてスリット６の上壁面もしくは下壁面に対面する断面Ｕ字型の耳部１１を有すると共に、その耳部１１にさらにエンボス部１２を設け、このエンボス部１２とスリット６の上壁面もしくは下壁面との間に前述したフリクション構造を形成することを特徴とするものである。なお、エンボス部１２は、ロングテール型サスペンションのプレス成型の際に伸出部分と凸部を同時に一体的に形成することができる。また、耳部１１の折り曲げ間隔は、耳部１１のばね性、エンボス部１２の高さ、及びロングテール型サスペンション基板の厚さとそれらの各々ばらつきを考慮して定めることができる。
この第４実施例によれば、上記第３実施例に比べてエンボス部１２による与圧係止効果が一層増大する。
【００３０】
図８は第５実施例を示す斜視図である。本図に示すとおり、この第５実施例においては、ロングテール部５のステンレスの薄板に、その側面からアクチュエータ・アーム側に向かって水平に伸びた(言い換えれば、ロングテール部の長手方向に対して直交する方向に伸びた) 伸出部分である耳部１３を設け、この耳部１３にエンボス部１２を設け、このエンボス部１２とスリット６の上壁面もしくは下壁面との間に前述したフリクション構造を形成することを特徴とするものである。
なお、エンボス部１２は、ロングテール型サスペンションのプレス成型の際に伸出部分と凸部を同時に一体的に形成することができる。また、エンボス部１２の高さは、ロングテール型サスペンション基板の厚さ及びスリット６の間隔と、それら各々のばらつきを考慮して定めることができる。
上述した第３実施例（図６）に比べると、耳部の折り曲げ工程が無いので、折り曲げ間隔の調整が不要になり、ロングテール部５の成形が容易になる。
【００３１】
図９は第６実施例を示す斜視図である。本図に示すように、第６実施例の磁気ヘッド支持機構１は基本的に、第１〜５実施例と同様、磁気ヘッドサスペンション３を保持してその磁気ヘッド２を所定位置に移動させるアクチュエータ・アーム４と、磁気ヘッド２に接続する信号線をアクチュエータ・アーム４に沿って付設するためのロングテール型サスペンションのロングテール部５と、アクチュエータ・アーム４の側面に設けられてロングテール部５をその側面の所定箇所にて保持するスリット６とを有する磁気ヘッド支持機構であるが、この第６実施例の磁気ヘッド支持機構１の特徴は、ロングテール部５とアクチュエータ・アーム４本体との間にフリクションを生じさせて、ロングテール部５をアクチュエータ・アーム４に対して固定するフリクション構造を備えることにある。
【００３２】
さらにこの図９を分析すると種々の特徴を見出すことができる。その第１の特徴は、ロングテール型サスペンションのロングテール部５は、その側面からアクチュエータ・アーム４に向けて部分的に上下にかつ左右にずらして突出し各々が断面略Ｌ字型をなす一対の耳部１４ａ，１４ｂを有し、この一対の耳部１４ａ，１４ｂによりアクチュエータ・アーム４本体を挟むようにして前述のフリクション構造を形成することにある。
【００３３】
またその第２の特徴は、上記一対の耳部１４ａ，１４ｂを一組として、かかる一対の耳部をロングテール部５の長さ方向に沿って複数組（１４ｃ，１４ｄ）設けることである。一対の耳部が一組だけであると、ロングテール部５がアクチュエータ・アーム４を安定に保持することが難いからである。
【００３４】
さらにまた第３の特徴は、二組の上述した一対の耳部（１４ａ，１４ｂの第一組および１４ｃ，１４ｄの第二組）を、スリット６に接するように左右の組に分けて配置することである。
本実施例では、スリット６の部分ではロングテール部５を単純に支持するだけであるが、耳部（１４ａ，１４ｂ，１４ｃ，１４ｄ）は、ステンレスの薄板を折り曲げて形成しているのでばね性を若干有し、アクチュエータ・アームの上下壁面を隙間無く挟みこんで、ロングテール部５を確実に保持することができる。
なお、一対の上下の耳部（１４ａ，１４ｂの第一組および１４ｃ，１４ｄの第二組）の間隔は、耳部のばね性を考慮して、アクチュエータ・アームの幅と略同じか小さくしておく。または、一対の上下の耳部の間隔は大きめにしておき、ロングテール部５とスリット６の位置合わせの際に、耳部を曲げ込んでアクチュエータ・アームに嵌め合わせても良い。
したがって、耳部１４のアクチュエータ・アーム４に対する位置合わせが容易になり、ロングテール型サスペンションを所定の位置に安定して保持可能となる。また、本実施例では、第二実施例のようにロングテール型サスペンション部を長くしたり、ロングテール部の配線回路を含む部分を折り曲げ成形する必要が無く、ロングテール部を変形させるだけで、複雑な工程を要すること無く簡単にフリクション構造を実現できる。
【００３５】
上述したように、各実施例において、ロングテール部５は、スリット６に対し図中の左右にずれ動くことができず、ロングテール部を所定の位置に安定して保持可能となる。
【００３６】
以上詳述した本発明の種々実施態様は、以下の付記に示すとおりである。
【００３７】
（付記１）
磁気ヘッドを所定位置に移動させるアクチュエータ・アームと、該磁気ヘッドに接続する信号線を該アクチュエータ・アームに沿って付設するためのロングテール部を有するロングテール型サスペンションと、該アクチュエータ・アームの側面に設けられて前記ロングテール部を保持するスリットとを有する磁気ヘッド支持機構を備えてなる磁気ディスク装置において、
前記ロングテール部と前記スリットの壁面との間にフリクションを生じさせて該ロングテール部を該スリットに対して固定するフリクション構造を備えることを特徴とする磁気ディスク装置。
【００３８】
（付記２）
前記スリットを、前記ロングテール部をほぼ水平に保って上下から挟むように上下左右に交互配置した少なくとも３つの保持部材により構成し、これらの保持部材と該ロングテール部との間に前記フリクション構造を形成することを特徴とする付記１に記載の磁気ディスク装置。
【００３９】
（付記３）
前記複数の保持部材は、前記ロングテール部を弓状に変形させるように上下左右から押さえ込むことを特徴とする付記２に記載の磁気ディスク装置。
【００４０】
（付記４）
前記ロングテール部を、その長さ方向に沿って山部と谷部が交互に繰り返す波型形状に形成し、これにより弾性を持った該波型ロングテール部と前記スリットの壁面との間に前記フリクション構造を形成することを特徴とする付記１に記載の磁気ディスク装置。
【００４１】
（付記５）
前記ロングテール部は、前記長さ方向において、前記スリットに挟まれる部分のみを前記波型形状とすることを特徴とする付記４に記載の磁気ディスク装置。
【００４２】
（付記６）
前記ロングテール部は、その側面から部分的に伸出する断面略Ｕ字型の耳部を有し、該耳部と前記スリットの壁面との間に前記フリクション構造を形成することを特徴とする付記１に記載の磁気ディスク装置。
【００４３】
（付記７）
前記ロングテール部は、その側面から部分的に伸出する断面略Ｕ字型の耳部を有し、かつその耳部にエンボス部を設けて該エンボス部と前記スリットの壁面の間に前記フリクションを生じさせることを特徴とする付記６に記載の磁気ディスク装置。
【００４４】
（付記８）
前記ロングテール部は、その側面から部分的に伸出する耳部を有し、かつその耳部にエンボス部を設けて該エンボス部と前記スリットの壁面との間に前記フリクションを生じさせることを特徴とする付記１に記載の磁気ディスク装置。
【００４５】
（付記９）
磁気ヘッドを所定位置に移動させるアクチュエータ・アームと、該磁気ヘッドに接続する信号線を該アクチュエータ・アームに沿って付設するためのロングテール型サスペンションを有する磁気ヘッド支持機構を備えた磁気ディスク装置において、
前記ロングテール型サスペンションと前記アクチュエータ・アームとの間にフリクションを生じさせて該ロングテール型サスペンションを該アクチュエータ・アームに対して固定するフリクション構造を備えることを特徴とする磁気ディスク装置。
【００４６】
（付記１０）
前記ロングテール型サスペンションは、その側面から前記アクチュエータ・アームに向けて部分的に上下にかつ左右にずらして伸出し各々が断面略Ｌ字型をなす一対の耳部を有し、該一対の耳部により前記アクチュエータ・アームを挟むようにして前記フリクション構造を形成することを特徴とする付記９に記載の磁気ディスク装置。
【００４７】
（付記１１）
前記一対の耳部を一組として、該一対の耳部を前記ロングテール型サスペンションの長さ方向に沿って複数組設けることを特徴とする付記１０に記載の磁気ディスク装置。
【００４８】
（付記１２）
二組の前記一対の耳部を、前記スリットに接するように左右の組に分けて配置することを特徴とする付記１１に記載の磁気ディスク装置。
【００４９】
（付記１３）
磁気ヘッドに接続する信号線をアクチュエータ・アームに沿って付設されると共に、該アクチュエータ・アームの側面に設けられたスリットに保持されるロングテール部を有するロングテール型サスペンションにおいて、
前記ロングテール部と前記スリットの壁面との間にフリクションを生じさせて該ロングテール部を該スリットに対して固定するためのフリクション構造を備えることを特徴とするロングテール型サスペンション。
【００５０】
（付記１４）
前記ロングテール部を、その長さ方向に沿って山部と谷部が交互に繰り返す波型形状に形成し、これにより弾性を持った該波型ロングテール部と前記スリットの壁面との間に前記フリクション構造を形成することを特徴とする付記１３に記載のロングテール型サスペンション。
【００５１】
（付記１５）
前記ロングテール部は、前記長さ方向において、前記スリットに挟まれる部分のみを前記波型形状とすることを特徴とする付記１４に記載のロングテール型サスペンション。
【００５２】
（付記１６）
前記ロングテール部は、その側面から部分的に伸出する断面略Ｕ字型の耳部を有し、該耳部と前記スリットの壁面との間に前記フリクション構造を形成することを特徴とする付記１３に記載のロングテール型サスペンション。
【００５３】
（付記１７）
前記ロングテール部は、その側面から部分的に伸出する断面略Ｕ字型の耳部を有し、かつその耳部にエンボス部を設けて該エンボス部と前記スリットの壁面の間に前記フリクションを生じさせることを特徴とする付記１３に記載のロングテール型サスペンション。
【００５４】
（付記１８）
前記ロングテール部は、その側面から部分的に伸出する耳部を有し、かつその耳部にエンボス部を設けて該エンボス部と前記スリットの壁面との間に前記フリクションを生じさせることを特徴とする付記１３に記載のロングテール型サスペンション。
【００５５】
（付記１９）
磁気ヘッドを所定位置に移動させるアクチュエータ・アームに沿って、該磁気ヘッドに接続する信号線を付設するためのロングテール型サスペンションにおいて、
前記アクチュエータ・アームとの間にフリクションを生じさせて該アクチュエータ・アームに対して固定するフリクション構造を備えることを特徴とするロングテール型サスペンション。
【００５６】
（付記２０）
前記側面から前記アクチュエータ・アームに向けて部分的に上下にかつ左右にずらして伸出し各々が断面略Ｌ字型をなす一対の耳部を有し、該一対の耳部により前記アクチュエータ・アームを挟むようにして前記フリクション構造を形成することを特徴とする付記１９に記載の磁気ロングテール型サスペンション。
【図面の簡単な説明】
【００５７】
【図１】本発明の原理構成を示す図である。
【図２】（ａ）はロングテール型サスペンションとスリットとの間の現状の保持構造、（ｂ）は本発明に係るその保持構造を示す図である。
【図３】第１実施例の変形例を示す図である。
【図４】第２実施例を示す斜視図である。
【図５】第２実施例の変形例を示す図である。
【図６】（ａ）および（ｂ）は第３実施例をそれぞれ斜視図および断面図にて示す図である。
【図７】第４実施例を示す断面図である。
【図８】第５実施例を示す斜視図である。
【図９】第６実施例を示す斜視図である。
【図１０】一般的な磁気ディスク装置の概観を示す図である。
【図１１】本発明が適用される一般的な磁気ヘッド支持機構の一例を示す図である。
【符号の説明】
【００５８】
１    磁気ヘッド支持機構
２    磁気ヘッド
３    磁気ヘッドサスペンション
４    アクチュエータ・アーム
５    ロングテール型サスペンションのロングテール部
６    スリット
６ａ，６ｂ，６ｃ    スリット片
７    フリクション構造
８    磁気ディスク装置（ＨＤＤ）
９    磁気ディスク
１１，１３，１４    耳部
１２    エンボス部
【図１】
2007179683.tif 000003
【図２】
2007179683.tif 000004
【図３】
2007179683.tif 000005
【図４】
2007179683.tif 000006
【図５】
2007179683.tif 000007
【図６】
2007179683.tif 000008
【図７】
2007179683.tif 000009
【図８】
2007179683.tif 000010
【図９】
2007179683.tif 000011
【図１０】
2007179683.tif 000012
【図１１】
2007179683.tif 000013